(57)【要約】【課題】解像度を低下することなく、立体表示可能な液晶表示装置の画質を向上させることを目的とする。【解決手段】波長分割方式で立体表示を行う液晶表示装置の駆動方法において、左目で視認する第１の画像と右目で視認する第２の画像とを波長帯域の異なるＲＧＢでフィールドシーケンシャル方式による表示を行う。フィールドシーケンシャル方式の表示は、画素部全面において画像信号の書き込み及びバックライトの点灯を順次行うのではなく、画素部の特定の領域毎に画像信号の書き込み及びバックライトの点灯を順次行う。【選択図】図６
2012048217.tif 000002
【特許請求の範囲】
【請求項１】
第１の赤の波長帯域の光、第１の緑の波長帯域の光、及び第１の青の波長帯域の光、を透過してフィールドシーケンシャル方式による第１の画像を視認するための左目用分光フィルターと、第２の赤の波長帯域の光、第２の緑の波長帯域の光、及び第２の青の波長帯域の光、を透過してフィールドシーケンシャル方式による第２の画像を視認するための右目用分光フィルターと、を具備する眼鏡により、ｍ行ｎ列（ｍは１２以上の自然数、ｎは自然数）に配設された複数の画素を有する液晶表示装置での立体表示を視認する、液晶表示装置の駆動方法において、
１行目乃至ｋ行目（ｋは、ｍ／３以下の自然数）に配設された複数の画素に対して第１の色を呈する光の透過を制御するための画像信号を入力し且つ（ｋ＋１）行目乃至２ｋ行目に配設された複数の画素に対して第２の色を呈する光の透過を制御するための画像信号を入力し且つ（２ｋ＋１）行目乃至ｍ行目に配設された複数の画素に対して第３の色を呈する光の透過を制御するための画像信号を入力する期間では、１行目乃至ｔ行目（ｔは、ｋ／Ｎ（Ｎは自然数）を満たす自然数）に配設された複数の画素に対して前記第１の色を呈する光の透過を制御するための画像信号が入力され且つ（ｋ＋１）行目乃至（ｋ＋ｔ）行目に配設された複数の画素に対して前記第２の色を呈する光の透過を制御するための画像信号が入力され且つ２ｋ＋１行目乃至２ｋ＋ｔ行目に配設された複数の画素に対して前記第３の色を呈する光の透過を制御するための画像信号が入力された後に、前記１行目乃至ｔ行目に配設された複数の画素のそれぞれに対して前記第１の色を呈する光を照射し且つ前記（ｋ＋１）行目乃至（ｋ＋ｔ）行目に配設された複数の画素のそれぞれに対して前記第２の色を呈する光を照射し且つ前記（２ｋ＋１）行目乃至（２ｋ＋ｔ）行目に配設された複数の画素のそれぞれに対して前記第３の色を呈する光を照射し、
前記第１乃至第３の色を呈する光は、前記第１の赤の波長帯域の光、前記第１の緑の波長帯域の光、及び前記第１の青の波長帯域の光がそれぞれ異なる順序となるよう順次照射をされ、その後、前記第２の赤の波長帯域の光、前記第２の緑の波長帯域の光、及び前記第２の青の波長帯域の光がそれぞれ異なる順序となるよう順次照射をされることを特徴とする液晶表示装置の駆動方法。
【請求項２】
第１の赤の波長帯域の光、第１の緑の波長帯域の光、及び第１の青の波長帯域の光、を透過してフィールドシーケンシャル方式による第１の画像を視認するための左目用分光フィルターと、第２の赤の波長帯域の光、第２の緑の波長帯域の光、及び第２の青の波長帯域の光、を透過してフィールドシーケンシャル方式による第２の画像を視認するための右目用分光フィルターと、を具備する眼鏡により、ｍ行ｎ列（ｍは１２以上の自然数、ｎは自然数）に配設された複数の画素を有する液晶表示装置での立体表示を視認する、液晶表示装置の駆動方法において、
１行目乃至ｋ行目（ｋは、ｍ／３以下の自然数）に配設された複数の画素に対して第１の色を呈する光の透過を制御するための画像信号を入力し且つ（ｋ＋１）行目乃至２ｋ行目に配設された複数の画素に対して第２の色を呈する光の透過を制御するための画像信号を入力し且つ（２ｋ＋１）行目乃至ｍ行目に配設された複数の画素に対して第３の色を呈する光の透過を制御するための画像信号を入力する期間では、１行目乃至ｔ行目（ｔは、ｋ／Ｎ（Ｎは自然数）を満たす自然数）に配設された複数の画素に対して前記第１の色を呈する光の透過を制御するための画像信号が入力され且つ（ｋ＋１）行目乃至（ｋ＋ｔ）行目に配設された複数の画素に対して前記第２の色を呈する光の透過を制御するための画像信号が入力され且つ２ｋ＋１行目乃至２ｋ＋ｔ行目に配設された複数の画素に対して前記第３の色を呈する光の透過を制御するための画像信号が入力された後に、前記１行目乃至ｔ行目に配設された複数の画素のそれぞれに対して前記第１の色を呈する光を照射し且つ前記（ｋ＋１）行目乃至（ｋ＋ｔ）行目に配設された複数の画素のそれぞれに対して前記第２の色を呈する光を照射し且つ前記（２ｋ＋１）行目乃至（２ｋ＋ｔ）行目に配設された複数の画素のそれぞれに対して前記第３の色を呈する光を照射し、
前記第１乃至第３の色を呈する光は、前記第１の赤の波長帯域の光、前記第１の緑の波長帯域の光、及び前記第１の青の波長帯域の光がそれぞれ異なる順序となるよう順次照射をされ、その後、前記第２の赤の波長帯域の光、前記第２の緑の波長帯域の光、及び前記第２の青の波長帯域の光がそれぞれ異なる順序となるよう順次照射をされ、
前記第１、第２、および第３の色を呈する光は、それぞれ前記第１の赤の波長帯域の光、前記第１の緑の波長帯域の光、及び前記第１の青の波長帯域の光異と任意の組み合わせで一対一に対応するように照射をされる。その後、前記第２の赤の波長帯域の光、前記第２の緑の波長帯域の光、及び前記第２の青の波長帯域の光が第１、第２、第３の色を呈する光に任意の組み合わせで一対一に対応するように照射されることを特徴とする液晶表示装置の駆動方法。
【請求項３】
請求項１または請求項２において、前記左目用分光フィルターを介して見る画像は、前記第１の画像、黒表示の画像の順に視認され、前記右目用分光フィルターを介して見る画像は、黒表示の画像、第２の画像の順に視認されることを特徴とする液晶表示装置の駆動方法。
【請求項４】
請求項１乃至請求項３のいずれか一において、前記第１の赤の波長帯域の光、前記第１の緑の波長帯域の光、及び前記第１の青の波長帯域の光、または前記第２の赤の波長帯域の光、前記第２の緑の波長帯域の光、及び前記第２の青の波長帯域の光は、それぞれ離間して照射されることを特徴とする液晶表示装置の駆動方法。
【発明の詳細な説明】
【技術分野】
【０００１】
本発明は、液晶表示装置の駆動方法に関する。特に、フィールドシーケンシャル方式によって立体（３次元）表示を行う液晶表示装置の駆動方法に関する。
【背景技術】
【０００２】
液晶表示装置は、テレビ受像機などの大型表示装置から携帯電話などの小型表示装置に至るまで、普及が進んでいる。今後は、より付加価値の高い製品が求められており開発が進められている。近年では、より臨場感のある画像を再現するため、立体表示を体験可能な液晶表示装置の開発が進められている。
【０００３】
立体表示を行う表示方式としては、左目で見る画像と右目で見る画像とを眼鏡を用いて分離して視認させる方式（画像分離方式ともいう）が、視野角を広くとることができるため、大画面での視聴に好適であるとされている。画像分離方式は、左目用の画像と右目用の画像とを用意し、視認者の左目で見る画像と右目でみる画像とを、液晶によるシャッター、偏光フィルター、または分光フィルターを具備する眼鏡によって分離する方式である。
【０００４】
なお、液晶によるシャッターによる左右の画像の時間的な分離は、フレームシーケンシャル方式とも呼ばれる。また、分光フィルターによる左右の画像の波長による分離は、波長分割（選択）方式とも呼ばれる。
【０００５】
波長分割方式による立体表示を行う表示装置としては、例えば特許文献１に開示された表示装置がある。
【先行技術文献】
【特許文献】
【０００６】
【特許文献１】特開２００９−２２９６４５号公報
【発明の概要】
【発明が解決しようとする課題】
【０００７】
ここで波長分割方式の液晶表示装置について図１３（Ａ）乃至（Ｄ）を用いて説明する。図１３（Ａ）には、液晶表示装置８０１及び分光フィルター付きの眼鏡８０２の外観図を示している。眼鏡８０２は、左目用分光フィルター８０３Ａと右目用分光フィルター８０３Ｂとを有する。
【０００８】
可視光領域における波長を横軸、強度を縦軸とした簡単なグラフを図１３（Ｂ）に示す。可視光領域８１０は、赤色の波長帯域８１１、緑色の波長帯域８１２、青色の波長帯域８１３を有する。赤色の波長帯域８１１では、短波長側に第１の赤色の波長帯域（Ｒ１）、長波長側に第２の赤色の波長帯域（Ｒ２）を有する。緑色の波長帯域８１２では、短波長側に第１の緑色の波長帯域（Ｇ１）、長波長側に第２の緑色の波長帯域（Ｇ２）を有する。青色の波長帯域８１３では、短波長側に第１の青色の波長帯域（Ｂ１）、長波長側に第２の青色の波長帯域（Ｂ２）を有する。
【０００９】
次いで波長分割方式における視認者の画像の見え方について説明する。ここでは、図１３（Ｃ）に模式図を示し説明する。
【００１０】
図１３（Ａ）に示した左目用分光フィルター８０３Ａは、第１の赤色の波長帯域（Ｒ１）の光、第１の緑色の波長帯域（Ｇ１）の光、及び第１の青色の波長帯域（Ｂ１）の光を透過（図１３（Ｃ）中、実線矢印）し、第２の赤色の波長帯域（Ｒ２）の光、第２の緑色の波長帯域（Ｇ２）の光、及び第２の青色の波長帯域（Ｂ２）の光を非透過（図１３（Ｃ）中、点線矢印）とする。左目用の画像８２１は、第１の赤色の波長帯域（Ｒ１）、第１の緑色の波長帯域（Ｇ１）、及び第１の青色の波長帯域（Ｂ１）によってカラー表示を行うよう予め画像信号を変換しておく。そして左目用の画像は、選択的に視認者の左目８２３で視認させることができる。
【００１１】
同様に右目用分光フィルター８０３Ｂは、第２の赤色の波長帯域（Ｒ２）の光、第２の緑色の波長帯域（Ｇ２）の光、及び第２の青色の波長帯域（Ｂ２）の光を透過（図１３（Ｃ）中、実線矢印）し、第１の赤色の波長帯域（Ｒ１）の光、第１の緑色の波長帯域（Ｇ１）の光、及び第１の青色の波長帯域（Ｂ１）の光を非透過（図１３（Ｃ）中、点線矢印）とする。右目用の画像８２２は、第２の赤色の波長帯域（Ｒ２）、第２の緑色の波長帯域（Ｇ２）、及び第２の青色の波長帯域（Ｂ２）によってカラー表示を行うよう予め画像信号を変換しておく。そして右目用の画像は、選択的に視認者の右目８２４で視認させることができる。
【００１２】
以上説明した波長分割方式により、視認者は左目８２３と右目８２４で立体物を視認する際の視差を擬似的に体感することができるため、立体表示を行うことができる。
【００１３】
なお図１３（Ｃ）で示した左目用の画像８２１と右目用の画像８２２とは、同じ表示画面上に同時に表示することもできる。例えば、図１３（Ｄ）に示すように、左目用の画像８２１の投影手段８３１、及び右目用の画像８２２の投影手段８３２により、表示画面上に左目用の画像８２１と右目用の画像８２２を同時に表示すればよい。
【００１４】
図１３（Ａ）乃至（Ｄ）で示した波長分割方式による立体表示では表示面積を変化させずに画素数を多くして画面解像度を上げる場合、画素に副画素を設ける必要のないフィールドシーケンシャル方式の表示が考えられる。フィールドシーケンシャル方式を行う液晶表示装置では、それぞれが異なる色を呈する光を発光する複数の光源（例えば、Ｒ（赤）、Ｇ（緑）、Ｂ（青））が設けられる。そして、当該複数の光源のそれぞれが点滅を繰り返し、且つ画素毎にそれぞれの色を呈する光の透過を制御することで所望の色を形成する。
【００１５】
フィールドシーケンシャル方式によって表示を行う液晶表示装置は、複数の光源に応じた画像信号の入力頻度の増加が要求される。なお複数の光源とは、上記図１３（Ａ）乃至（Ｄ）の例でいえば、第１の赤色の波長帯域Ｒ１の光源、第１の緑色の波長帯域Ｇ１の光源、第１の青色の波長帯域Ｂ１の光源、第２の赤色の波長帯域Ｒ２の光源、第２の緑色の波長帯域Ｇ２の光源、第２の青色の波長帯域Ｂ２の光源である。
【００１６】
画像信号の入力頻度の増加を図るためには、各画素に設けられる素子の応答性を向上することが重要である。各画素に設けられる素子の応答性を向上するには、各画素に設けられるトランジスタの移動度の向上などが要求される。しかしながら、トランジスタの移動度の向上は、表示部が大型化するほど容易ではない。一方で、画像信号の入力頻度を増加させることは、フィールドシーケンシャル方式による表示特有の問題である色割れ（カラーブレイク）による表示の不具合を低減するといった効果もあるため、画像信号の書き込み期間の短縮は重要である。
【００１７】
そこで、本発明の一態様は、画像信号の入力頻度の増加を図りつつ、且つ解像度を低下することなく立体表示を実現できる液晶表示装置を提供することを課題の一とする。
【課題を解決するための手段】
【００１８】
本発明の一態様は、第１の赤の波長帯域の光、第１の緑の波長帯域の光、及び第１の青の波長帯域の光、を透過してフィールドシーケンシャル方式による第１の画像を視認するための左目用分光フィルターと、第２の赤の波長帯域の光、第２の緑の波長帯域の光、及び第２の青の波長帯域の光、を透過してフィールドシーケンシャル方式による第２の画像を視認するための右目用分光フィルターと、を具備する眼鏡により、ｍ行ｎ列（ｍは１２以上の自然数、ｎは自然数）に配設された複数の画素を有する液晶表示装置での立体表示を視認する、液晶表示装置の駆動方法において、１行目乃至ｋ行目（ｋは、ｍ／３以下の自然数）に配設された複数の画素に対して第１の色を呈する光の透過を制御するための画像信号を入力し且つ（ｋ＋１）行目乃至２ｋ行目に配設された複数の画素に対して第２の色を呈する光の透過を制御するための画像信号を入力し且つ（２ｋ＋１）行目乃至ｍ行目に配設された複数の画素に対して第３の色を呈する光の透過を制御するための画像信号を入力する期間では、１行目乃至ｔ行目（ｔは、ｋ／Ｎ（Ｎは自然数）を満たす自然数）に配設された複数の画素に対して前記第１の色を呈する光の透過を制御するための画像信号が入力され且つ（ｋ＋１）行目乃至（ｋ＋ｔ）行目に配設された複数の画素に対して前記第２の色を呈する光の透過を制御するための画像信号が入力され且つ（２ｋ＋１）行目乃至（２ｋ＋ｔ）行目に配設された複数の画素に対して前記第３の色を呈する光の透過を制御するための画像信号が入力された後に、前記１行目乃至ｔ行目に配設された複数の画素のそれぞれに対して前記第１の色を呈する光を照射し且つ前記（ｋ＋１）行目乃至（ｋ＋ｔ）行目に配設された複数の画素のそれぞれに対して前記第２の色を呈する光を照射し且つ前記（２ｋ＋１）行目乃至（２ｋ＋ｔ）行目に配設された複数の画素のそれぞれに対して前記第３の色を呈する光を照射し、前記第１、第２、および第３の色を呈する光は、それぞれ前記第１の赤の波長帯域の光、前記第１の緑の波長帯域の光、及び前記第１の青の波長帯域の光と任意の組み合わせで一対一に対応するように照射される。。その後、前記第２の赤の波長帯域の光、前記第２の緑の波長帯域の光、及び前記第２の青の波長帯域の光がそれぞれ第１、第２、第３の色を呈する光に任意の組み合わせで一対一に対応するように照射をされる液晶表示装置の駆動方法である。
【００１９】
なお上記液晶表示装置の駆動方法は、さらにｎ＝１からｎ＝（ｋ／ｔ）−１までの自然数の条件で、１＋ｎｔ  行目乃至（ｎ＋１）ｔ行目、（ｋ＋（１＋ｎｔ））行目乃至（ｋ＋（ｎ＋１）ｔ）行目、（２ｋ＋（１＋ｎｔ））行目乃至（２ｋ＋（ｎ＋１）ｔ）行目の画像信号が入力された後、前記第１乃至第３の色を呈する光をそれぞれ１＋ｎｔ  行目乃至（ｎ＋１）ｔ行目、（ｋ＋（１＋ｎｔ））行目乃至（ｋ＋（ｎ＋１）ｔ）行目、（２ｋ＋（１＋ｎｔ））行目乃至（２ｋ＋（ｎ＋１）ｔ）行目の複数の画素に対して照射される手順を順次行う。
また、上記液晶表示装置の駆動方法において、前記第１、第２、第３の色を呈する光は、それぞれ前記第１の赤の波長帯域の光、前記第１の緑の波長帯域の光、及び前記第１の青の波長帯域の光と任意の組み合わせで一対一に対応する。具体的な一例を示すと、前記第１の色を呈する光は、前記第１の青の波長帯域の光に対応し、前記第２の色を呈する光は、前記第１の緑の波長帯域の光に対応し、前記第３の色を呈する光は、前記第１の赤の波長帯域の光に対応する。また、同様な一例として、前記第１の色を呈する光は、前記第２の青の波長帯域の光に対応し、前記第２の色を呈する光は、前記第２の緑の波長帯域の光に対応し、前記第３の色を呈する光は、前記第２の赤の波長帯域の光に対応する。
【００２０】
本発明の一態様において、前記左目用分光フィルターを介して見る画像は、前記第１の画像、黒表示の画像の順に視認され、前記右目用分光フィルターを介して見る画像は、黒表示の画像、第２の画像の順に視認される液晶表示装置の駆動方法が好ましい。
【００２１】
本発明の一態様において、前記第１の赤の波長帯域の光、前記第１の緑の波長帯域の光、及び前記第１の青の波長帯域の光、前記第２の赤の波長帯域の光、前記第２の緑の波長帯域の光、及び前記第２の青の波長帯域の光は、それぞれ離間して照射される液晶表示装置の駆動方法が好ましい。
【発明の効果】
【００２２】
本発明の一態様の液晶表示装置は、画素部全面において画像信号の入力及びバックライトの点灯を順次行うのではなく、画素部の特定の領域毎に画像信号の入力及びバックライトの点灯を順次行うことが可能である。これにより、当該液晶表示装置の各画素に対する画像信号の入力頻度を増加させることなどが可能になる。その結果、当該液晶表示装置において生じる色割れなどの表示劣化を抑制しつつ、且つ解像度を低下することなく良好な立体表示を行うことのできる液晶表示装置を提供することができる。
【図面の簡単な説明】
【００２３】
【図１】液晶表示装置の構成例を示す図。
【図２】走査線駆動回路の構成例を示す図。
【図３】パルス出力回路の一例を示す回路図およびパルス出力回路のタイミングチャート。
【図４】信号線駆動回路の構成例を示す図および信号線駆動回路のタイミングチャート。
【図５】バックライトの構成例を示す図。
【図６】液晶表示装置の動作例を説明する図。
【図７】液晶表示装置の動作例を説明する図。
【図８】液晶表示装置の動作例を説明する図。
【図９】液晶表示装置の動作例を説明する図。
【図１０】液晶表示装置の動作例を説明する図。
【図１１】本発明の一形態におけるトランジスタの断面図。
【図１２】電子機器を説明する図。
【図１３】波長分割方式を説明するための図。
【発明を実施するための形態】
【００２４】
以下、本発明の実施の形態について図面を参照しながら説明する。但し、本発明は多くの異なる態様で実施することが可能であり、本発明の趣旨及びその範囲から逸脱することなくその形態及び詳細をさまざまに変更し得ることは当業者であれば容易に理解される。従って本実施の形態の記載内容に限定して解釈されるものではない。なお、以下に説明する本発明の構成において、同じ物を指し示す符号は異なる図面間において共通とする。
【００２５】
なお、各実施の形態の図面等において示す各構成の、大きさ、層の厚さ、信号波形、または領域は、明瞭化のために誇張されて表記している場合がある。よって、必ずしもそのスケールに限定されない。
【００２６】
なお本明細書にて用いる第１、第２、第３、乃至第Ｎ（Ｎは自然数）という用語は、構成要素の混同を避けるために付したものであり、数的に限定するものではないことを付記する。なお自然数は、特に断りのない限り、１以上として説明する。
【００２７】
（実施の形態１）
本実施の形態では、本発明の一態様の液晶表示装置について図１乃至図１０を参照して説明する。
【００２８】
＜液晶表示装置の構成例＞
図１（Ａ）は、液晶表示装置の構成例を示す図である。図１（Ａ）に示す液晶表示装置は、画素部１０と、走査線駆動回路１１と、信号線駆動回路１２と、各々が平行または略平行に配設され、且つ走査線駆動回路１１によって電位が制御されるｍ本（ｍは１２以上の自然数）の走査線１３と、各々が平行または略平行に配設され、且つ信号線駆動回路１２によって電位が制御される、ｎ本（ｎは自然数）の信号線１４と、を有する。さらに、画素部１０は、３つの領域（領域１０１〜領域１０３）に分割され、領域毎にマトリクス状に配設された複数の画素を有する。
【００２９】
なお、各走査線１３は、画素部１０においてｍ行ｎ列に配設された複数の画素のうち、いずれかの行に配設されたｎ個の画素に電気的に接続される。また、各信号線１４は、ｍ行ｎ列に配設された複数の画素のうち、いずれかの列に配設されたｍ個の画素に電気的に接続される。
【００３０】
図１（Ｂ）は、図１（Ａ）に示す液晶表示装置が有する画素１５の回路図の一例を示す図である。図１（Ｂ）に示す画素１５は、ゲートが走査線１３に電気的に接続され、ソース及びドレインの一方が信号線１４に電気的に接続されたトランジスタ１６と、一方の電極がトランジスタ１６のソース及びドレインの他方に電気的に接続され、他方の電極が容量電位を供給する配線（容量配線ともいう）に電気的に接続された容量素子１７と、一方の電極（画素電極ともいう）がトランジスタ１６のソース及びドレインの他方及び容量素子１７の一方の電極に電気的に接続され、他方の電極（対向電極ともいう）が対向電位を供給する配線に電気的に接続された液晶素子１８と、を有する。
【００３１】
なお、トランジスタ１６は、ｎチャネル型のトランジスタとして説明する。また、容量電位と対向電位を同一の電位とすることが可能である。
【００３２】
＜走査線駆動回路１１の構成例＞
図２（Ａ）は、図１（Ａ）に示す液晶表示装置が有する走査線駆動回路１１の構成例を示す図である。図２（Ａ）に示す走査線駆動回路１１は、第１の走査線駆動回路用クロック信号（ＧＣＫ１）を供給する配線乃至第４の走査線駆動回路用クロック信号（ＧＣＫ４）を供給する配線と、第１のパルス幅制御信号（ＰＷＣ１）を供給する配線乃至第６のパルス幅制御信号（ＰＷＣ６）を供給する配線と、１行目に配設された走査線１３に電気的に接続された第１のパルス出力回路２０＿１、乃至、ｍ行目に配設された走査線１３に電気的に接続された第ｍのパルス出力回路２０＿ｍと、を有する。
【００３３】
なお本実施の形態では、第１のパルス出力回路２０＿１〜第ｋのパルス出力回路２０＿ｋ（ｋは、ｍ／３以下の自然数）が、領域１０１に配設された走査線１３に電気的に接続されることとする。また本実施の形態においてｋは、走査線駆動回路１１に供給されるクロック信号（ＧＣＫ１乃至ＧＣＫ４）の数の倍数、すなわち４の倍数とすることが好適である。
【００３４】
また、第（ｋ＋１）のパルス出力回路２０＿（ｋ＋１）〜第２ｋのパルス出力回路２０＿２ｋが、領域１０２に配設された走査線１３に電気的に接続されることとする。また、第（２ｋ＋１）のパルス出力回路２０＿（２ｋ＋１）〜第ｍのパルス出力回路２０＿ｍが領域１０３に配設された走査線１３に電気的に接続されることとする。
【００３５】
第１のパルス出力回路２０＿１乃至第ｍのパルス出力回路２０＿ｍは、第１のパルス出力回路２０＿１に入力される走査線駆動回路用スタートパルス（ＧＳＰ）をきっかけとしてシフト期間毎にシフトパルスを順次シフトする機能を有する。さらに、第１のパルス出力回路２０＿１乃至第ｍのパルス出力回路２０＿ｍにおいて複数のシフトパルスのシフトを並行して行うことが可能である。すなわち、第１のパルス出力回路２０＿１乃至第ｍのパルス出力回路２０＿ｍにおいてシフトパルスのシフトが行われている期間内であっても、第１のパルス出力回路２０＿１に走査線駆動回路用スタートパルス（ＧＳＰ）を入力することが可能である。
【００３６】
図２（Ｂ）は、上記信号の具体的な波形の一例を示す図である。図２（Ｂ）に示す第１の走査線駆動回路用クロック信号（ＧＣＫ１）は、周期的に高電源電位（Ｖｄｄ）の電位（以下ハイレベル）と低電源電位（Ｖｓｓ）の電位（以下ロウレベル）を繰り返す、デューティー比が１／４の信号である。また、第２の走査線駆動回路用クロック信号（ＧＣＫ２）は、第１の走査線駆動回路用クロック信号（ＧＣＫ１）から１／４周期分位相がずれた信号である。また、第３の走査線駆動回路用クロック信号（ＧＣＫ３）は、第１の走査線駆動回路用クロック信号（ＧＣＫ１）から１／２周期位相がずれた信号である。また、第４の走査線駆動回路用クロック信号（ＧＣＫ４）は、第１の走査線駆動回路用クロック信号（ＧＣＫ１）から３／４周期位相がずれた信号である。
【００３７】
図２（Ｂ）に示す第１のパルス幅制御信号（ＰＷＣ１）は、周期的にハイレベルとロウレベルを繰り返す、デューティー比が１／３の信号である。また、第２のパルス幅制御信号（ＰＷＣ２）は、第１のパルス幅制御信号（ＰＷＣ１）から１／６周期位相がずれた信号である。第３のパルス幅制御信号（ＰＷＣ３）は、第１のパルス幅制御信号（ＰＷＣ１）から１／３周期位相がずれた信号である。第４のパルス幅制御信号（ＰＷＣ４）は、第１のパルス幅制御信号（ＰＷＣ１）から１／２周期位相がずれた信号である。第５のパルス幅制御信号（ＰＷＣ５）は、第１のパルス幅制御信号（ＰＷＣ１）から２／３周期位相がずれた信号である。第６のパルス幅制御信号（ＰＷＣ６）は、第１のパルス幅制御信号（ＰＷＣ１）から５／６周期位相がずれた信号である。
【００３８】
なお、ここでは、第１の走査線駆動回路用クロック信号（ＧＣＫ１）乃至第４の走査線駆動回路用クロック信号（ＧＣＫ４）のパルス幅と第１のパルス幅制御信号（ＰＷＣ１）乃至第６のパルス幅制御信号（ＰＷＣ６）のパルス幅の比は、３：２とする。
【００３９】
上述した液晶表示装置においては、第１のパルス出力回路２０＿１乃至第ｍのパルス出力回路２０＿ｍとして、同一の構成を有する回路を適用することができる。但し、パルス出力回路が有する複数の端子の電気的な接続関係は、パルス出力回路毎に異なる。具体的な接続関係について図２（Ａ）、（Ｃ）を参照して説明する。
【００４０】
第１のパルス出力回路２０＿１乃至第ｍのパルス出力回路２０＿ｍのそれぞれは、端子２１〜端子２７を有する。なお、端子２１〜端子２４及び端子２６は入力端子であり、端子２５及び端子２７は出力端子である。
【００４１】
まず、端子２１について述べる。第１のパルス出力回路２０＿１の端子２１は、走査線駆動回路用スタートパルス（ＧＳＰ）を供給する配線に電気的に接続され、第２のパルス出力回路２０＿２〜第ｍのパルス出力回路２０＿ｍの端子２１は、前段のパルス出力回路の端子２７に電気的に接続される。
【００４２】
次いで、端子２２について述べる。第（４ａ−３）のパルス出力回路（ａは、ｍ／４以下の自然数）の端子２２は、第１の走査線駆動回路用クロック信号（ＧＣＫ１）を供給する配線に電気的に接続される。第（４ａ−２）のパルス出力回路の端子２２は、第２の走査線駆動回路用クロック信号（ＧＣＫ２）を供給する配線に電気的に接続される。第（４ａ−１）のパルス出力回路の端子２２は、第３の走査線駆動回路用クロック信号（ＧＣＫ３）を供給する配線に電気的に接続される。第４ａのパルス出力回路の端子２２は、第４の走査線駆動回路用クロック信号（ＧＣＫ４）を供給する配線に電気的に接続される。
【００４３】
次いで、端子２３について述べる。第（４ａ−３）のパルス出力回路の端子２３は、第２の走査線駆動回路用クロック信号（ＧＣＫ２）を供給する配線に電気的に接続される。第（４ａ−２）のパルス出力回路の端子２３は、第３の走査線駆動回路用クロック信号（ＧＣＫ３）を供給する配線に電気的に接続される。第（４ａ−１）のパルス出力回路の端子２３は、第４の走査線駆動回路用クロック信号（ＧＣＫ４）を供給する配線に電気的に接続される。第４ａのパルス出力回路の端子２３は、第１の走査線駆動回路用クロック信号（ＧＣＫ１）を供給する配線に電気的に接続される。
【００４４】
次いで、端子２４について述べる。第（２ｂ−１）のパルス出力回路（ｂは、ｋ／２以下の自然数）の端子２４は、第１のパルス幅制御信号（ＰＷＣ１）を供給する配線に電気的に接続される。第２ｂのパルス出力回路の端子２４は、第４のパルス幅制御信号（ＰＷＣ４）を供給する配線に電気的に接続される。第（２ｃ−１）のパルス出力回路（ｃは、（（ｋ／２）＋１）以上ｋ以下の自然数）の端子２４は、第２のパルス幅制御信号（ＰＷＣ２）を供給する配線に電気的に接続される。第２ｃのパルス出力回路の端子２４は、第５のパルス幅制御信号（ＰＷＣ５）を供給する配線に電気的に接続される。第（２ｄ−１）のパルス出力回路（ｄは、（ｋ＋１）以上ｍ／２以下の自然数）の端子２４は、第３のパルス幅制御信号（ＰＷＣ３）を供給する配線に電気的に接続される。第２ｄのパルス出力回路の端子２４は、第６のパルス幅制御信号（ＰＷＣ６）を供給する配線に電気的に接続される。
【００４５】
次いで、端子２５について述べる。第ｘのパルス出力回路（ｘは、ｍ以下の自然数）の端子２５は、ｘ行目に配設された走査線１３＿ｘに電気的に接続される。
【００４６】
次いで、端子２６について述べる。第ｙのパルス出力回路（ｙは、ｍ−１以下の自然数）の端子２６は、第（ｙ＋１）のパルス出力回路の端子２７に電気的に接続される。第ｍのパルス出力回路の端子２６は、第ｍのパルス出力回路用ストップ信号（ＳＴＰ）を供給する配線に電気的に接続される。
【００４７】
なお、第ｍのパルス出力回路用ストップ信号（ＳＴＰ）は、仮に第（ｍ＋１）のパルス出力回路が設けられていれば、当該第（ｍ＋１）のパルス出力回路の端子２７から出力される信号に相当する信号である。具体的には、この信号は、実際にダミー回路として第（ｍ＋１）のパルス出力回路を設けること、または外部から当該信号を直接入力することなどによって第ｍのパルス出力回路に供給することができる。
【００４８】
各パルス出力回路の端子２７の接続関係は既出である。そのため、ここでは前述の説明を援用する。
【００４９】
＜パルス出力回路の構成例＞
図３（Ａ）は、図２（Ａ）、（Ｃ）に示すパルス出力回路の構成例を示す図である。図３（Ａ）に示すパルス出力回路は、トランジスタ３１乃至トランジスタ３９を有する。
【００５０】
トランジスタ３１は、ソース及びドレインの一方が高電源電位（Ｖｄｄ）を供給する配線（以下、高電源電位線ともいう）に電気的に接続され、ゲートが端子２１に電気的に接続される。
【００５１】
トランジスタ３２は、ソース及びドレインの一方が低電源電位（Ｖｓｓ）を供給する配線（以下、低電源電位線ともいう）に電気的に接続され、ソース及びドレインの他方がトランジスタ３１のソース及びドレインの他方に電気的に接続される。
【００５２】
トランジスタ３３は、ソース及びドレインの一方が端子２２に電気的に接続され、ソース及びドレインの他方が端子２７に電気的に接続され、ゲートがトランジスタ３１のソース及びドレインの他方並びにトランジスタ３２のソース及びドレインの他方に電気的に接続される。
【００５３】
トランジスタ３４は、ソース及びドレインの一方が低電源電位線に電気的に接続され、ソース及びドレインの他方が端子２７に電気的に接続され、ゲートがトランジスタ３２のゲートに電気的に接続される。
【００５４】
トランジスタ３５は、ソース及びドレインの一方が低電源電位線に電気的に接続され、ソース及びドレインの他方がトランジスタ３２のゲート及びトランジスタ３４のゲートに電気的に接続され、ゲートが端子２１に電気的に接続される。
【００５５】
トランジスタ３６は、ソース及びドレインの一方が高電源電位線に電気的に接続され、ソース及びドレインの他方がトランジスタ３２のゲート、トランジスタ３４のゲート、並びにトランジスタ３５のソース及びドレインの他方に電気的に接続され、ゲートが端子２６に電気的に接続される。
【００５６】
トランジスタ３７は、ソース及びドレインの一方が高電源電位線に電気的に接続され、ソース及びドレインの他方がトランジスタ３２のゲート、トランジスタ３４のゲート、トランジスタ３５のソース及びドレインの他方、並びにトランジスタ３６のソース及びドレインの他方に電気的に接続され、ゲートが端子２３に電気的に接続される。
【００５７】
トランジスタ３８は、ソース及びドレインの一方が端子２４に電気的に接続され、ソース及びドレインの他方が端子２５に電気的に接続され、ゲートがトランジスタ３１のソース及びドレインの他方、トランジスタ３２のソース及びドレインの他方、並びにトランジスタ３３のゲートに電気的に接続される。
【００５８】
トランジスタ３９は、ソース及びドレインの一方が低電源電位線に電気的に接続され、ソース及びドレインの他方が端子２５に電気的に接続され、ゲートがトランジスタ３２のゲート、トランジスタ３４のゲート、トランジスタ３５のソース及びドレインの他方、トランジスタ３６のソース及びドレインの他方、並びにトランジスタ３７のソース及びドレインの他方に電気的に接続される。
【００５９】
なお、以下においては、トランジスタ３１のソース及びドレインの他方、トランジスタ３２のソース及びドレインの他方、トランジスタ３３のゲート、並びにトランジスタ３８のゲートが電気的に接続するノードをノードＡとして説明する。また、トランジスタ３２のゲート、トランジスタ３４のゲート、トランジスタ３５のソース及びドレインの他方、トランジスタ３６のソース及びドレインの他方、トランジスタ３７のソース及びドレインの他方、並びにトランジスタ３９のゲートが電気的に接続するノードをノードＢとして説明する。
【００６０】
＜パルス出力回路の動作例＞
上述したパルス出力回路の動作例について図３（Ｂ）〜（Ｄ）を参照して説明する。なお、ここでは、第１のパルス出力回路２０＿１の端子２１に入力される走査線駆動回路用スタートパルス（ＧＳＰ）の入力タイミングを制御することで、第１のパルス出力回路２０＿１、第（ｋ＋１）のパルス出力回路２０＿（ｋ＋１）、及び第（２ｋ＋１）のパルス出力回路２０＿（２ｋ＋１）の端子２７から同一タイミングでシフトパルスを出力する場合の動作例について説明する。
【００６１】
具体的な例として、図３（Ｂ）は、走査線駆動回路用スタートパルス（ＧＳＰ）が入力される際の第１のパルス出力回路２０＿１の各端子に入力される信号の電位、並びにノードＡ及びノードＢの電位を示している。図３（Ｃ）は、第ｋのパルス出力回路２０＿ｋからハイレベルが入力される際の第（ｋ＋１）のパルス出力回路２０＿（ｋ＋１）の各端子に入力される信号の電位、並びにノードＡ及びノードＢの電位を示している。図３（Ｄ）は、第２ｋのパルス出力回路２０＿２ｋからハイレベルが入力される際の第（２ｋ＋１）のパルス出力回路２０＿（２ｋ＋１）の各端子に入力される信号の電位、並びにノードＡ及びノードＢの電位を示している。
【００６２】
なお、図３（Ｂ）〜（Ｄ）では、各端子に入力される信号を括弧書きで付記している。また、それぞれの後段に配設されるパルス出力回路（第２のパルス出力回路２０＿２、第（ｋ＋２）のパルス出力回路２０＿ｋ＋２、第（２ｋ＋２）のパルス出力回路２０＿（２ｋ＋２））の端子２５から出力される信号（Ｇｏｕｔ２、Ｇｏｕｔｋ＋２、Ｇｏｕｔ２ｋ＋２）及び端子２７の出力信号（ＳＲｏｕｔ２＝第１のパルス出力回路２０＿１の端子２６の入力信号、ＳＲｏｕｔｋ＋２＝第（ｋ＋１）のパルス出力回路２０＿（ｋ＋１）の端子２６の入力信号、ＳＲｏｕｔ２ｋ＋２＝第（２ｋ＋１）のパルス出力回路２０＿（２ｋ＋１）の端子２６の入力信号）も付記している。なお、図中において、Ｇｏｕｔは、パルス出力回路の走査線に対する出力信号を表し、ＳＲｏｕｔは、当該パルス出力回路の、後段のパルス出力回路に対する出力信号を表している。
【００６３】
まず、図３（Ｂ）を参照して、第１のパルス出力回路２０＿１に走査線駆動回路用スタートパルス（ＧＳＰ）としてハイレベルが入力される場合について説明する。
【００６４】
期間ｔ１において、端子２１にハイレベルが入力される。これにより、トランジスタ３１、３５がオン状態となる。そのため、ノードＡの電位がハイレベルからトランジスタ３１のしきい値電圧分下降した電位に上昇し、且つノードＢの電位がロウレベルに下降する。これに付随して、トランジスタ３３、３８がオン状態となり、トランジスタ３２、３４、３９がオフ状態となる。
【００６５】
以上により、期間ｔ１において、端子２７から出力される信号は、端子２２に入力される信号となり、端子２５から出力される信号は、端子２４に入力される信号となる。ここで、期間ｔ１において、端子２２及び端子２４に入力される信号は、共にロウレベルである。そのため、期間ｔ１において、第１のパルス出力回路２０＿１は、第２のパルス出力回路２０＿２の端子２１、及び画素部に配設された１行目の走査線にロウレベルを出力する。
【００６６】
期間ｔ２において、各端子に入力される信号は期間ｔ１から変化しない。そのため、端子２５及び端子２７から出力される信号も変化せず、共にロウレベルを出力する。
【００６７】
期間ｔ３において、端子２４にハイレベルが入力される。なお、ノードＡの電位（トランジスタ３１のソースの電位）は、期間ｔ１においてハイレベルからトランジスタ３１のしきい値電圧分下降した電位まで上昇している。そのため、トランジスタ３１はオフ状態となっている。この時、端子２４にハイレベルが入力されることで、トランジスタ３８のソースとゲートの容量結合によって、ノードＡの電位（トランジスタ３８のゲートの電位）がさらに上昇する（ブートストラップ動作）。また、当該ブートストラップ動作を行うことによってノードＡの電位が上昇するため、端子２５から出力される信号が端子２４に入力されるハイレベルよりも下降することがない。そのため、期間ｔ３において、第１のパルス出力回路２０＿１は、画素部に配設された１行目の走査線にハイレベル（選択信号）を出力する。
【００６８】
期間ｔ４において、端子２２にハイレベルが入力される。ここで、ノードＡの電位は、ブートストラップ動作によって上昇しているため、端子２７から出力される信号が端子２２に入力されるハイレベルから下降することがない。そのため、期間ｔ４において、端子２７からは、端子２２に入力されるハイレベルが出力される。すなわち、第１のパルス出力回路２０＿１は、第２のパルス出力回路２０＿２の端子２１にハイレベル（シフトパルス）を出力する。また、期間ｔ４において、端子２４に入力される信号はハイレベルを維持するため、第１のパルス出力回路２０＿１から画素部に配設された１行目の走査線に対して出力される信号は、ハイレベル（選択信号）のままである。なお、期間ｔ４における当該パルス出力回路の出力信号には直接関与しないが、端子２１にロウレベルが入力されるためトランジスタ３５はオフ状態となる。
【００６９】
期間ｔ５において、端子２４にロウレベルが入力される。ここで、トランジスタ３８はオン状態を維持する。そのため、期間ｔ５において、第１のパルス出力回路２０＿１から画素部に配設された１行目の走査線に対して出力される信号は、ロウレベルとなる。
【００７０】
期間ｔ６において、各端子に入力される信号は期間ｔ５から変化しない。そのため、端子２５及び端子２７から出力される信号も変化せず、端子２５からはロウレベルが出力され、端子２７からはハイレベル（シフトパルス）が出力される。
【００７１】
期間ｔ７において、端子２３にハイレベルが入力される。これにより、トランジスタ３７がオン状態となる。そのため、ノードＢの電位がハイレベルからトランジスタ３７のしきい値電圧分下降した電位に上昇する。つまり、トランジスタ３２、３４、３９がオン状態となる。また、これに付随して、ノードＡの電位がロウレベルへと下降する。つまり、トランジスタ３３、３８がオフ状態となる。以上により、期間ｔ７において、端子２５及び端子２７から出力される信号は、共にロウレベルとなる。すなわち、期間ｔ７において、第１のパルス出力回路２０＿１は、第２のパルス出力回路２０＿２の端子２１、及び画素部に配設された１行目の走査線にロウレベルを出力する。
【００７２】
次いで、図３（Ｃ）を参照して、第（ｋ＋１）のパルス出力回路２０＿（ｋ＋１）の端子２１に第ｋのパルス出力回路２０＿ｋからシフトパルスとしてハイレベルが入力される場合について説明する。
【００７３】
期間ｔ１及び期間ｔ２において、第（ｋ＋１）のパルス出力回路２０＿（ｋ＋１）の動作は、上述した第１のパルス出力回路２０＿１と同様である。そのため、ここでは前述の説明を援用することとする。
【００７４】
期間ｔ３において、各端子に入力される信号は期間ｔ２から変化しない。そのため、端子２５及び端子２７から出力される信号も変化せず、共にロウレベルを出力する。
【００７５】
期間ｔ４において、端子２２及び端子２４にハイレベルが入力される。なお、ノードＡの電位（トランジスタ３１のソースの電位）は、期間ｔ１においてハイレベルからトランジスタ３１のしきい値電圧分下降した電位まで上昇している。そのため、トランジスタ３１は、期間ｔ１においてオフ状態となっている。ここで、端子２２及び端子２４にハイレベルが入力されることで、トランジスタ３３のソースとゲート及びトランジスタ３８のソースとゲートの容量結合によって、ノードＡの電位（トランジスタ３３、３８のゲートの電位）がさらに上昇する（ブートストラップ動作）。また、当該ブートストラップ動作を行うことによって、端子２５及び端子２７から出力される信号が端子２２及び端子２４に入力されるハイレベルから下降することがない。そのため、期間ｔ４において、第（ｋ＋１）のパルス出力回路２０＿（ｋ＋１）は、画素部に配設された（ｋ＋１）行目の走査線及び第（ｋ＋２）のパルス出力回路２０＿（ｋ＋２）の端子２１にハイレベル（選択信号またはシフトパルス）を出力する。
【００７６】
期間ｔ５において、各端子に入力される信号は期間ｔ４から変化しない。そのため、端子２５及び端子２７から出力される信号も変化せず、ハイレベル（選択信号またはシフトパルス）を出力する。
【００７７】
期間ｔ６において、端子２４にロウレベル入力される。ここで、トランジスタ３８はオン状態を維持する。そのため、期間ｔ６において、第（ｋ＋１）のパルス出力回路２０＿（ｋ＋１）から画素部に配設された（ｋ＋１）行目の走査線に対して出力される信号は、ロウレベルとなる。
【００７８】
期間ｔ７において、端子２３にハイレベルが入力される。これにより、トランジスタ３７がオン状態となる。そのため、ノードＢの電位がハイレベルからトランジスタ３７のしきい値電圧分下降した電位に上昇する。つまり、トランジスタ３２、３４、３９がオン状態となる。また、これに付随して、ノードＡの電位がロウレベルへと下降する。つまり、トランジスタ３３、３８がオフ状態となる。以上により、期間ｔ７において、端子２５及び端子２７から出力される信号は、共にロウレベルとなる。すなわち、期間ｔ７において、第（ｋ＋１）のパルス出力回路２０＿（ｋ＋１）は、第（ｋ＋２）のパルス出力回路２０＿（ｋ＋２）の端子２１、及び画素部に配設された（ｋ＋１）行目の走査線にロウレベルを出力する。
【００７９】
次いで、図３（Ｄ）を参照して、第（２ｋ＋１）のパルス出力回路２０＿（２ｋ＋１）の端子２１に第２ｋのパルス出力回路２０＿２ｋからシフトパルスとしてハイレベルが入力される場合について説明する。
【００８０】
期間ｔ１乃至期間ｔ３において、第（２ｋ＋１）のパルス出力回路２０＿（２ｋ＋１）の動作は、上述した第（ｋ＋１）のパルス出力回路２０＿（ｋ＋１）と同様である。そのため、ここでは前述の説明を援用することとする。
【００８１】
期間ｔ４において、端子２２にハイレベルが入力される。なお、ノードＡの電位（トランジスタ３１のソースの電位）は、期間ｔ１においてハイレベルからトランジスタ３１のしきい値電圧分下降した電位まで上昇している。そのため、トランジスタ３１は、期間ｔ１においてオフ状態となっている。ここで、端子２２にハイレベルが入力されることで、トランジスタ３３のソースとゲートの容量結合によって、ノードＡの電位（トランジスタ３３のゲートの電位）がさらに上昇する（ブートストラップ動作）。また、当該ブートストラップ動作を行うことによって、端子２７から出力される信号が端子２２に入力されるハイレベルから下降することがない。そのため、期間ｔ４において、第（２ｋ＋１）のパルス出力回路２０＿（２ｋ＋１）は、第（２ｋ＋２）のパルス出力回路２０＿（２ｋ＋２）の端子２１にハイレベル（シフトパルス）を出力する。なお、期間ｔ４における当該パルス出力回路の出力信号には直接関与しないが、端子２１にロウレベルが入力されるためトランジスタ３５はオフ状態となる。
【００８２】
期間ｔ５において、端子２４にハイレベルが入力される。ここで、ノードＡの電位は、ブートストラップ動作によって上昇しているため、端子２５から出力される信号が端子２４に入力されるハイレベルから下降することがない。そのため、期間ｔ５において、端子２５からは、端子２４に入力されるハイレベルが出力される。すなわち、第（２ｋ＋１）のパルス出力回路２０＿（２ｋ＋１）は、画素部に配設された（２ｋ＋１）行目の走査線にハイレベル（選択信号）を出力する。また、期間ｔ５において、端子２２に入力される信号はハイレベルを維持するため、第（２ｋ＋１）のパルス出力回路２０＿（２ｋ＋１）から第（２ｋ＋２）のパルス出力回路２０＿（２ｋ＋２）の端子２１に対して出力される信号は、ハイレベル（シフトパルス）のままである。
【００８３】
期間ｔ６において、各端子に入力される信号は期間ｔ５から変化しない。そのため、端子２５及び端子２７から出力される信号も変化せず、共にハイレベル（選択信号またはシフトパルス）を出力する。
【００８４】
期間ｔ７において、端子２３にハイレベルが入力される。これにより、トランジスタ３７がオン状態となる。そのため、ノードＢの電位がハイレベルからトランジスタ３７のしきい値電圧分下降した電位に上昇する。つまり、トランジスタ３２、３４、３９がオン状態となる。また、これに付随して、ノードＡの電位がロウレベルへと下降する。つまり、トランジスタ３３、３８がオフ状態となる。以上により、期間ｔ７において、端子２５及び端子２７から出力される信号は、共にロウレベルとなる。すなわち、期間ｔ７において、第（２ｋ＋１）のパルス出力回路２０＿（２ｋ＋１）は、第（２ｋ＋２）のパルス出力回路２０＿（２ｋ＋２）の端子２１、及び画素部に配設された（２ｋ＋１）行目の走査線にロウレベルを出力する。
【００８５】
図３（Ｂ）〜（Ｄ）に示すように、第１のパルス出力回路２０＿１乃至第ｍのパルス出力回路２０＿ｍでは、走査線駆動回路用スタートパルス（ＧＳＰ）の入力タイミングを制御することで、複数のシフトパルスのシフトを並行して行うことが可能である。具体的には、走査線駆動回路用スタートパルス（ＧＳＰ）の入力後、第ｋのパルス出力回路２０＿ｋの端子２７からシフトパルスが出力されるタイミングと同じタイミングで再度走査線駆動回路用スタートパルス（ＧＳＰ）を入力することによって、第１のパルス出力回路２０＿１及び第（ｋ＋１）のパルス出力回路２０＿（ｋ＋１）から同じタイミングでシフトパルスを出力させることが可能である。また、同様に走査線駆動回路用スタートパルス（ＧＳＰ）を入力することによって、第１のパルス出力回路２０＿１、第（ｋ＋１）のパルス出力回路２０＿（ｋ＋１）、及び第（２ｋ＋１）のパルス出力回路２０＿（２ｋ＋１）から同じタイミングでシフトパルスを出力させることが可能である。
【００８６】
加えて、第１のパルス出力回路２０＿１、第（ｋ＋１）のパルス出力回路２０＿（ｋ＋１）、及び第（２ｋ＋１）のパルス出力回路２０＿（２ｋ＋１）は、上記の動作に並行して、それぞれ異なるタイミングで走査線に対する選択信号の供給を行うことが可能である。すなわち、上述した走査線駆動回路は、固有のシフト期間を有するシフトパルスを複数シフトし且つ同一タイミングにおいてシフトパルスが入力された複数のパルス出力回路がそれぞれ異なるタイミングで走査線に対して選択信号を供給することが可能である。
【００８７】
＜信号線駆動回路１２の構成例＞
図４（Ａ）は、図１（Ａ）に示す液晶表示装置が有する信号線駆動回路１２の構成例を示す図である。図４（Ａ）に示す信号線駆動回路１２は、第１の出力端子乃至第ｎの出力端子を有するシフトレジスタ１２０と、画像信号（ＤＡＴＡ）を供給する配線と、ソース及びドレインの一方が画像信号（ＤＡＴＡ）を供給する配線に電気的に接続され、ソース及びドレインの他方が画素部に配設された１列目の信号線１４＿１に電気的に接続され、ゲートがシフトレジスタ１２０の第１の出力端子に電気的に接続されたトランジスタ１２１＿１、乃至、ソース及びドレインの一方が画像信号（ＤＡＴＡ）を供給する配線に電気的に接続され、ソース及びドレインの他方が画素部に配設されたｎ列目の信号線１４＿ｎに電気的に接続され、ゲートがシフトレジスタ１２０の第ｎの出力端子に電気的に接続されたトランジスタ１２１＿ｎと、を有する。
【００８８】
なお、シフトレジスタ１２０は、信号線駆動回路用スタートパルス（ＳＳＰ）をきっかけとしてシフト期間毎に順次第１の出力端子乃至第ｎの出力端子からハイレベルを出力する機能を有する。すなわち、トランジスタ１２１＿１乃至トランジスタ１２１＿ｎは、シフト期間毎に順次オン状態となる。
【００８９】
図４（Ｂ）は、画像信号（ＤＡＴＡ）を供給する配線が供給する画像信号のタイミングの一例を示す図である。図４（Ｂ）に示すように、画像信号（ＤＡＴＡ）を供給する配線は、期間ｔ４において、１行目に配設された画素のための画像信号（ｄａｔａ  １）を供給し、期間ｔ５において、（ｋ＋１）行目に配設された画素のための画像信号（ｄａｔａ  （ｋ＋１））を供給し、期間ｔ６において、（２ｋ＋１）行目に配設された画素のための画像信号（ｄａｔａ  （２ｋ＋１））を供給し、期間ｔ７において、２行目に配設された画素のための画像信号（ｄａｔａ  ２）を供給する。以下、同様に画像信号（ＤＡＴＡ）を供給する配線は、特定の行毎に配設された画素のための画像信号を順次供給する。一般化すれば、ｓ行目（ｓは、ｋ未満の自然数）に配設された画素のための画像信号、次いで（ｋ＋ｓ）行目に配設された画素のための画像信号、次いで２ｋ＋ｓ行目に配設された画素のための画像信号、次いで（ｓ＋１）行目に配設された画素のための画像信号、という順序で画像信号を供給するとも言える。
【００９０】
上述した走査線駆動回路及び信号線駆動回路が当該動作を行うことにより、走査線駆動回路が有するパルス出力回路におけるシフト期間毎に画素部に配設された３行の画素に対する画像信号の入力を行うことが可能である。
【００９１】
＜バックライトの構成例＞
図５は、図１（Ａ）に示す液晶表示装置の画素部１０の後方に設けられるバックライトの構成例を示す図である。図５に示すバックライトは、第１の赤色の波長帯域による赤色（Ｒ１、第１の赤色ともいう）、第１の緑色の波長帯域による緑色（Ｇ１、第１の緑色ともいう）、第１の青色の波長帯域による青色（Ｂ１、第１の青色ともいう）、第２の赤色の波長帯域による赤色（Ｒ２、第２の赤色ともいう）、第２の緑色の波長帯域による緑色（Ｇ２、第２の緑色ともいう）、第２の青色の波長帯域による青色（Ｂ２、第２の青色ともいう）の６色を呈する光源を備えたバックライトユニット４０を複数有する。
【００９２】
なお、複数のバックライトユニット４０は、マトリクス状に配設されており、且つ特定の領域毎に点灯を制御することが可能である。ここでは、ｍ行ｎ列に配設された複数の画素１５に対するバックライトとして、少なくともｔ行毎（ｔはｋ／Ｎ（Ｎは自然数）を満たす自然数とする。一例として本実施の形態ではｔをｋ／４とする）にバックライトユニット４０が設けられ、該バックライトユニット４０の点灯を独立に制御できることとする。すなわち、当該バックライトが、少なくとも１行目乃至ｔ行目用バックライトユニット〜（２ｋ＋３ｔ＋１）行目乃至ｍ行目用バックライトユニットを有し、それぞれのバックライトユニット４０の点灯を独立に制御できることとする。
【００９３】
さらに、バックライトユニット４０において、Ｒ１、Ｒ２、Ｇ１、Ｇ２、Ｂ１、Ｂ２の６色を呈する光源のそれぞれの点灯も独立に制御できることとする。すなわち、バックライトユニット４０において、Ｒ１、Ｒ２、Ｇ１、Ｇ２、Ｂ１、Ｂ２のいずれか一つの光源を点灯させることで画素部１０に対してＲ１、Ｒ２、Ｇ１、Ｇ２、Ｂ１、Ｂ２のいずれか一つの色を呈する光を照射することが可能であることとする。
【００９４】
なお図１３（Ｂ）での説明と同様に、第１の赤色の波長帯域（Ｒ１）は、赤色の波長帯域における短波長側の波長帯域である。第２の赤色の波長帯域（Ｒ２）は、赤色の波長帯域における長波長側の波長帯域である。第１の緑色の波長帯域（Ｇ１）は、緑色の波長帯域における短波長側の波長帯域である。第２の緑色の波長帯域（Ｇ２）は、緑色の波長帯域における長波長側の波長帯域である。第１の青色の波長帯域（Ｂ１）は、青色の波長帯域における短波長側の波長帯域である。第２の青色の波長帯域（Ｒ２）は、青色の波長帯域における長波長側の波長帯域である。
【００９５】
なお各色の長波長側の波長帯域及び短波長側の波長帯域は、それぞれ、液晶表示装置で画像を視認するための眼鏡が有する左目用分光フィルター及び右目用分光フィルターの特性に応じた波長帯域であればよい。
【００９６】
＜液晶表示装置の動作例＞
図６は、上述した液晶表示装置における選択信号の走査と、バックライトが有する１行目乃至ｔ行目用バックライトユニット〜（２ｋ＋３ｔ＋１）行目乃至ｍ行目用バックライトユニットの点灯タイミングとを示す図である。なお、図６において縦軸は画素部における行（１行目乃至ｍ行目）を表し、横軸は時間を表している。
【００９７】
図６に示すように当該液晶表示装置では、１行目に配設された走査線〜ｍ行目に配設された走査線に対して順次選択信号を供給するのではなく、ｋ行分隔離されて配設された走査線に対して順次選択信号を供給する（１行目に配設された走査線、次いで（ｋ＋１）行目に配設された走査線、次いで（２ｋ＋１）行目に配設された走査線、次いで２行目に配設された走査線、という順序で選択信号を供給する）ことが可能である。そのため、期間（Ｔ１）において、１行目に配設されたｎ個の画素からｔ行目に配設されたｎ個の画素を順次選択し、且つ（ｋ＋１）行目に配設されたｎ個の画素から（ｋ＋ｔ）行目に配設されたｎ個の画素を順次選択し、且つ（２ｋ＋１）行目に配設されたｎ個の画素から（２ｋ＋ｔ）行目に配設されたｎ個の画素１５を順次選択することで、各画素に画像信号を入力することが可能である。
【００９８】
期間Ｔ１を含む期間Ｔａは、１行目乃至ｋ行目に配設された複数の画素に対して第１の色を呈する光の透過を制御するための画像信号が入力されている期間である。また期間Ｔａは、（ｋ＋１）行目乃至２ｋ行目に配設された複数の画素に対して第２の色を呈する光の透過を制御するための画像信号が入力されている期間でもある。また期間Ｔａは、（２ｋ＋１）行目乃至ｍ行目に配設された複数の画素に対して第３の色を呈する光の透過を制御するための画像信号が入力されている期間でもある。
【００９９】
図６に示す期間Ｔ１では、１行目に配設されたｎ個の画素乃至ｔ行目に配設されたｎ個の画素には、第１の色を呈する光となるＲ２の光源による光の透過を制御する画像信号が入力され、（ｋ＋１）行目に配設されたｎ個の画素乃至（ｋ＋ｔ）行目に配設されたｎ個の画素には、第２の色を呈する光となるＢ１の光源による光の透過を制御する画像信号が入力され、（２ｋ＋１）行目に配設されたｎ個の画素乃至（２ｋ＋ｔ）行目に配設されたｎ個の画素には、第３の色を呈する光となるＧ１の光源による光の透過を制御する画像信号が入力されることとする。
【０１００】
また図６に示す期間Ｔ１を含む期間Ｔａは、１行目乃至ｔ行目用バックライトユニットにおいて第１の色を呈するＲ２の光源を点灯させ、且つ（ｋ＋１）行目乃至（ｋ＋ｔ）行目用バックライトユニットにおいて第２の色を呈するＢ１の光源を点灯させ、且つ（２ｋ＋１）行目乃至（２ｋ＋ｔ）行目用バックライトユニットにおいて第３の色を呈するＧ１の光源を点灯させることが可能である。
【０１０１】
同様にして期間Ｔ２を含む期間Ｔｂは、１行目乃至ｋ行目に配設された複数の画素に対して第１の色を呈する光の透過を制御するための画像信号が入力されている期間である。また期間Ｔｂは、（ｋ＋１）行目乃至２ｋ行目に配設された複数の画素に対して第２の色を呈する光の透過を制御するための画像信号が入力されている期間でもある。また期間Ｔｂは、（２ｋ＋１）行目乃至ｍ行目に配設された複数の画素に対して第３の色を呈する光の透過を制御するための画像信号が入力されている期間でもある。
【０１０２】
図６に示す期間Ｔ２では、１行目に配設されたｎ個の画素乃至ｔ行目に配設されたｎ個の画素には、第１の色を呈する光となるＧ２の光源による光の透過を制御する画像信号が入力され、（ｋ＋１）行目に配設されたｎ個の画素乃至（ｋ＋ｔ）行目に配設されたｎ個の画素には、第２の色を呈する光となるＲ２の光源による光の透過を制御する画像信号が入力され、（２ｋ＋１）行目に配設されたｎ個の画素乃至（２ｋ＋ｔ）行目に配設されたｎ個の画素には、第３の色を呈する光となるＢ１の光源による光の透過を制御する画像信号が入力されることとする。
【０１０３】
また図６に示す期間Ｔ２を含む期間Ｔｂは、１行目乃至ｔ行目用バックライトユニットにおいて第１の色を呈するＧ２の光源を点灯させ、且つ（ｋ＋１）行目乃至（ｋ＋ｔ）行目用バックライトユニットにおいて第２の色を呈するＲ２の光源を点灯させ、且つ（２ｋ＋１）行目乃至（２ｋ＋ｔ）行目用バックライトユニットにおいて第３の色を呈するＢ１の光源を点灯させることが可能である。
【０１０４】
上記説明した期間Ｔａ、Ｔｂと同様にして図６に示す液晶表示装置の動作を見てみると、１行目に配設されたｎ個の画素乃至ｔ行目に配設されたｎ個の画素は、Ｒ１、Ｇ１、Ｂ１、Ｒ２、Ｇ２、Ｂ２の光源による光の透過を制御する画像信号の入力の後に、当該画像信号に対応する光源による光の照射が順に行われる。同様に（ｔ＋１）行目に配設されたｎ個の画素乃至２ｔ行目に配設されたｎ個の画素、（２ｋ＋３ｔ＋１）行目に配設されたｎ個の画素乃至ｍ行目に配設されたｎ個の画素でも、Ｒ１、Ｇ１、Ｂ１、Ｒ２、Ｇ２、Ｂ２の光源による光の透過を制御する画像信号の入力の後に、当該画像信号に対応する光源による光の照射が順に行われる。
【０１０５】
図７に示すように、図６の液晶表示装置の動作により画像が表示される画素部１０を、左目用分光フィルター７０３Ａと右目用分光フィルター７０３Ｂとを有する眼鏡７０２を用いることで、左目７２３と右目７２４とで別の画像を視認させることができる。
【０１０６】
次いで図８は、左目用分光フィルター７０３Ａを介して左目７２３で視認される光の透過が制御されたＲ１、Ｇ１、Ｂ１を呈する光源に着目した液晶表示装置における選択信号の走査と、バックライトが有する１行目乃至ｔ行目用バックライトユニット〜（２ｋ＋３ｔ＋１）行目乃至ｍ行目用バックライトユニットの点灯タイミングとを示す図である。なお、図８において縦軸は画素部における行（１行目乃至ｍ行目）を表し、横軸は時間を表している。
【０１０７】
図８に示す図と図６に示す図の違いは、左目用分光フィルター７０３Ａを透過して左目７２３で視認されるＲ１、Ｇ１、Ｂ１の光源による光の照射及び当該光の透過を制御する画像信号の入力を示し、左目用分光フィルター７０３Ａで非透過となり左目７２３で視認されないＲ２、Ｇ２、Ｂ２の光源による光の照射を消灯状態として示した点にある。なお図８では、左目７２３で視認されないＲ２、Ｇ２、Ｂ２の光源による光の照射及び当該光の透過を制御する画像信号を点線で示している。
【０１０８】
図８に示す図から、左目７２３では、Ｒ１、Ｇ１、Ｂ１の光源が順次光を照射することによる、フィールドシーケンシャル方式による液晶表示装置での画像（第１の画像ともいう）が視認されることとなる。また左目７２３では、左目用分光フィルター７０３Ａにより視認されないＲ２、Ｇ２、Ｂ２の光源が順次光を照射する期間を消灯状態として視認するため、当該期間が黒表示期間として視認されるものとなる。すなわち黒表示を「Ｋ」で表すと、左目７２３には、Ｒ１→Ｇ１→Ｂ１→Ｋ→Ｋ→Ｋの順序で順次光が照射された様子を視認することとなる。
【０１０９】
図８と同様に図９は、右目用分光フィルターを介して右目で視認される光の透過が制御されたＲ２、Ｇ２、Ｂ２を呈する光源に着目した液晶表示装置における選択信号の走査と、バックライトが有する１行目乃至ｔ行目用バックライトユニット〜（２ｋ＋３ｔ＋１）行目乃至ｍ行目用バックライトユニットの点灯タイミングとを示す図である。なお、図９において縦軸は画素部における行（１行目乃至ｍ行目）を表し、横軸は時間を表している。
【０１１０】
図９に示す図と図６に示す図の違いは、右目用分光フィルター７０３Ｂを透過して右目７２４で視認されるＲ２、Ｇ２、Ｂ２の光源による光の照射及び当該光の透過を制御する画像信号の入力を示し、右目用分光フィルター７０３Ｂで非透過となり右目７２４で視認されないＲ１、Ｇ１、Ｂ１の光源による光の照射を消灯状態として示した点にある。なお図９では、右目７２４で視認されないＲ１、Ｇ１、Ｂ１の光源による光の照射及び当該光の透過を制御する画像信号を点線で示している。
【０１１１】
図９に示す図から、右目７２４では、Ｒ２、Ｇ２、Ｂ２の光源が順次光を照射することによる、フィールドシーケンシャル方式による液晶表示装置での画像（第２の画像ともいう）が視認されることとなる。また右目７２４では、右目用分光フィルター７０３Ｂにより視認されないＲ１、Ｇ１、Ｂ１の光源が順次光を照射する期間を消灯状態として視認するため、当該期間が黒表示期間として視認されるものとなる。すなわち黒表示を「Ｋ」で表すと、右目７２４には、Ｋ→Ｋ→Ｋ→Ｒ２→Ｇ２→Ｂ２の順序で順次光が照射された様子を視認することとなる。
【０１１２】
その結果、フィールドシーケンシャル方式で表示される第１の画像及び第２の画像が波長分割方式により、視認者には左目７２３と右目７２４で別々に視認される。そして、視認者は、立体物を視認する際の視差を擬似的に体感することができるため、立体表示を行うことができる。
【０１１３】
なお眼鏡７０２の形状に関しては、図７に図示した形状に限らず、左目７２３または右目７２４で画像を視認する際に左目用分光フィルター７０３Ａまたは右目用分光フィルター７０３Ｂを透過する構成であればよい。
【０１１４】
＜本実施の形態で開示される液晶表示装置について＞
本実施の形態の液晶表示装置は、画像信号の入力と、バックライトの点灯とを並行して行うことが可能である。そのため、当該液晶表示装置の各画素に対する画像信号の入力頻度を増加させることなどが可能になる。その結果、フィールドシーケンシャル方式によって表示を行う液晶表示装置において生じるカラーブレイクを抑制し、該液晶表示装置が表示する画質を向上させることが可能である。
【０１１５】
また、本実施の形態で開示される液晶表示装置は、上記の簡便な動作により擬似的な立体表示を実現することが可能である。本実施の形態の液晶表示装置は、フィールドシーケンシャル方式の駆動を行うことで画面表示解像度を高めることができ、且つ左目用の画像と右目用の画像とを波長分割方式により分離し、立体表示を行うことができる。従ってフレームシーケンシャル方式による擬似的な立体表示に比べ、眼鏡に設けられる左目用または右目用のシャッターの開閉と左目用の画像または右目用の画像とのクロストークによる画質の低下をなくすことができる。
【０１１６】
特に本実施の形態における液晶表示装置の動作においては、図６乃至図９で説明したように、左目で視認される第１の画像をＲ１→Ｇ１→Ｂ１→Ｋ→Ｋ→Ｋの順序となるよう順次光を照射して表示を行い、右目で視認される第２の画像をＫ→Ｋ→Ｋ→Ｒ２→Ｇ２→Ｂ２の順序となるよう順次光を照射して表示を行うこととなる。すなわち、図６に示す構成では、フィールドシーケンシャル方式におけるＲ１（Ｒ２）、Ｇ１（Ｇ２）、Ｂ１（Ｂ２）光の照射が連続して行われ、その後黒表示の画像が視認されることで、視認者のまばたきなどによりいずれかの色の情報のみが欠落することを低減し、色割れを視認しにくくできる。
【０１１７】
一方図１０では、光源がＲ１→Ｇ１→Ｂ１→Ｒ２→Ｇ２→Ｂ２の順序で光の照射を行う図６とは異なり、光源がＲ１→Ｒ２→Ｇ１→Ｇ２→Ｂ１→Ｂ２の順序で光の照射を行う比較例を示す。図１０に示す例では、左目で視認される第１の画像をＲ１→Ｋ→Ｇ１→Ｋ→Ｂ１→Ｋの順序となるよう順次光を照射して表示を行い、右目で視認される第２の画像をＫ→Ｒ２→Ｋ→Ｇ２→Ｋ→Ｂ２の順序となるよう順次光を照射して表示を行うこととなる。すなわち、図６に示す図に対比させて示す図１０の構成では、フィールドシーケンシャル方式におけるＲ１（Ｒ２）とＧ１（Ｇ２）、Ｇ１（Ｇ２）とＢ１（Ｂ２）、及びＢ１（Ｂ２）とＲ１（Ｒ２）の光の照射の間に黒表示の画像を挿入するものであり、視認者のまばたきなどによりいずれかの色の情報のみが欠落し、色割れが視認されやすくなってしまう。
【０１１８】
上述の説明より、本実施の形態の液晶表示装置においては、複数の光源に応じた画像信号の入力頻度の増加を図るとともに、フィールドシーケンシャル方式における画像表示期間内に複雑な動作を必要なく黒表示の画像を挿入することができる。そのため、フィールドシーケンシャル方式による表示特有の問題である色割れによる表示の不具合を低減するといった効果もある。
【０１１９】
また、図６に示す動作例のようにバックライトを点灯する場合、隣接するバックライトユニットが異なる色を呈することがない。すなわち、図６に示す動作例のようにバックライトを点灯する場合、バックライトユニットからの異なる色の光を離間して照射することができる。具体的には、期間Ｔ１において画像信号の入力が行われる領域に対して当該書き込み後にバックライトを点灯する場合、隣接するバックライトユニットが異なる色を呈することがなく、離間してバックライトユニットからの異なる色の光の照射をすることができる。
【０１２０】
例えば、期間Ｔ１において、（ｋ＋１）行目に配設されたｎ個の画素から（ｋ＋ｔ）行目に配設されたｎ個の画素に対して青（Ｂ）を呈する光の透過を制御するための画像信号の入力が終了した後に（ｋ＋１）行目乃至（ｋ＋ｔ）行目用バックライトユニットにおいて青（Ｂ）の光源を点灯させる際に、（３ｔ＋１）行目乃至ｋ行目用バックライトユニット及び（ｋ＋ｔ＋１）行目乃至（ｋ＋２ｔ）行目用バックライトユニットにおいては、青（Ｂ）の光源が点灯されるまたは点灯自体が行われない（赤（Ｒ）、緑（Ｇ）が点灯されることがない）。そのため、特定の色の画像情報が入力された画素を、当該特定の色と異なる色を呈する光が透過する確率を低減することができる。
【０１２１】
また、本実施の形態の内容または該内容の一部を、他の実施の形態の内容または該内容の一部と組み合わせることが可能である。
【０１２２】
（実施の形態２）
本実施の形態では、本明細書に開示する液晶表示装置に適用できるトランジスタの例を示す。本明細書に開示する液晶表示装置に適用できるトランジスタの構造は特に限定されず、例えばゲート電極が、ゲート絶縁層を介して、半導体層の上側に配置されるトップゲート構造、またはゲート電極が、ゲート絶縁層を介して、半導体層の下側に配置されるボトムゲート構造のスタガ型及びプレーナ型などを用いることができる。また、トランジスタはチャネル形成領域が一つ形成されるシングルゲート構造でも、二つ形成されるダブルゲート構造もしくは三つ形成されるトリプルゲート構造であっても良い。また、チャネル領域の上下にゲート絶縁層を介して配置された２つのゲート電極層を有する、デュアルゲート型でもよい。なお、図１１（Ａ）乃至（Ｄ）にトランジスタの断面構造の一例を以下に示す。
【０１２３】
図１１（Ａ）に示すトランジスタ４１０は、ボトムゲート構造のトランジスタの一つであり、逆スタガ型トランジスタともいう。
【０１２４】
トランジスタ４１０は、絶縁表面を有する基板４００上に、ゲート電極層４０１、ゲート絶縁層４０２、半導体層４０３、ソース電極層４０５ａ、及びドレイン電極層４０５ｂを含む。また、トランジスタ４１０を覆い、半導体層４０３に積層する絶縁膜４０７が設けられている。絶縁膜４０７上にはさらに保護絶縁層４０９が形成されている。
【０１２５】
図１１（Ｂ）に示すトランジスタ４２０は、チャネル保護型（チャネルストップ型ともいう）と呼ばれるボトムゲート構造の一つであり逆スタガ型トランジスタともいう。
【０１２６】
トランジスタ４２０は、絶縁表面を有する基板４００上に、ゲート電極層４０１、ゲート絶縁層４０２、半導体層４０３、半導体層４０３のチャネル形成領域を覆うチャネル保護層として機能する絶縁層４２７、ソース電極層４０５ａ、及びドレイン電極層４０５ｂを含む。また、トランジスタ４２０を覆い、保護絶縁層４０９が形成されている。
【０１２７】
図１１（Ｃ）に示すトランジスタ４３０はボトムゲート型のトランジスタであり、絶縁表面を有する基板４００上に、ゲート電極層４０１、ゲート絶縁層４０２、ソース電極層４０５ａ、ドレイン電極層４０５ｂ、及び半導体層４０３を含む。また、トランジスタ４３０を覆い、半導体層４０３に接する絶縁膜４０７が設けられている。絶縁膜４０７上にはさらに保護絶縁層４０９が形成されている。
【０１２８】
トランジスタ４３０においては、ゲート絶縁層４０２は基板４００及びゲート電極層４０１上に接して設けられ、ゲート絶縁層４０２上にソース電極層４０５ａ、ドレイン電極層４０５ｂが接して設けられている。そして、ゲート絶縁層４０２、及びソース電極層４０５ａ、ドレイン電極層４０５ｂ上に半導体層４０３が設けられている。
【０１２９】
図１１（Ｄ）に示すトランジスタ４４０は、トップゲート構造のトランジスタの一つである。トランジスタ４４０は、絶縁表面を有する基板４００上に、絶縁層４３７、半導体層４０３、ソース電極層４０５ａ、ドレイン電極層４０５ｂ、ゲート絶縁層４０２、及びゲート電極層４０１を含み、ソース電極層４０５ａ、ドレイン電極層４０５ｂにそれぞれ配線層４３６ａ、配線層４３６ｂが接して設けられ接続している。
【０１３０】
半導体層４０３に用いる半導体材料としては、アモルファスシリコン、微結晶シリコン、ポリシリコン、酸化物半導体、有機半導体等を用いることができる。
【０１３１】
絶縁表面を有する基板４００に使用することができる基板に大きな制限はないが、バリウムホウケイ酸ガラスやアルミノホウケイ酸ガラスなどのガラス基板を用いる。
【０１３２】
ボトムゲート構造のトランジスタ４１０、４２０、４３０において、下地膜となる絶縁膜を基板とゲート電極層の間に設けてもよい。下地膜は、基板からの不純物元素の拡散を防止する機能があり、窒化シリコン膜、酸化シリコン膜、窒化酸化シリコン膜、または酸化窒化シリコン膜から選ばれた一または複数の膜による積層構造により形成することができる。
【０１３３】
ゲート電極層４０１は、モリブデン、チタン、クロム、タンタル、タングステン、アルミニウム、銅、ネオジム、スカンジウム等の金属材料またはこれらを主成分とする合金材料を用いて、単層でまたは積層して形成することができる。
【０１３４】
ゲート絶縁層４０２は、プラズマＣＶＤ法またはスパッタリング法等を用いて、酸化シリコン層、窒化シリコン層、酸化窒化シリコン層、窒化酸化シリコン層、酸化アルミニウム層、窒化アルミニウム層、酸化窒化アルミニウム層、窒化酸化アルミニウム層、または酸化ハフニウム層を単層でまたは積層して形成することができる。例えば、第１のゲート絶縁層としてプラズマＣＶＤ法により膜厚５０ｎｍ以上２００ｎｍ以下の窒化シリコン層（ＳｉＮｙ（ｙ＞０））を形成し、第１のゲート絶縁層上に第２のゲート絶縁層として膜厚５ｎｍ以上３００ｎｍ以下の酸化シリコン層（ＳｉＯｘ（ｘ＞０））を積層して、ゲート絶縁層とする。例えば、積層したゲート絶縁膜の膜厚は、約２００ｎｍとする。
【０１３５】
ソース電極層４０５ａ、ドレイン電極層４０５ｂに用いる導電膜としては、例えば、Ａｌ、Ｃｒ、Ｃｕ、Ｔａ、Ｔｉ、Ｍｏ、Ｗから選ばれた元素を含む金属膜、または上述した元素を成分とする金属窒化物膜（窒化チタン膜、窒化モリブデン膜、窒化タングステン膜など）等を用いることができる。また、Ａｌ、Ｃｕなどの金属膜の下側または上側の一方または双方にＴｉ、Ｍｏ、Ｗなどの高融点金属膜またはそれらの金属窒化物膜（窒化チタン膜、窒化モリブデン膜、窒化タングステン膜）を積層させた構成としても良い。
【０１３６】
ソース電極層４０５ａ、ドレイン電極層４０５ｂに電気的に接続する配線層４３６ａ、配線層４３６ｂのような導電膜も、ソース電極層４０５ａ、ドレイン電極層４０５ｂと同様な材料を用いることができる。
【０１３７】
また、ソース電極層４０５ａ、ドレイン電極層４０５ｂ（これと同じ層で形成される配線層を含む）となる導電膜としては導電性の金属酸化物で形成しても良い。導電性の金属酸化物としては酸化インジウム（Ｉｎ２Ｏ３）、酸化スズ（ＳｎＯ２）、酸化亜鉛（ＺｎＯ）、酸化インジウム酸化スズ合金（Ｉｎ２Ｏ３―ＳｎＯ２、ＩＴＯと略記する）、酸化インジウム酸化亜鉛合金（Ｉｎ２Ｏ３―ＺｎＯ）またはこれらの金属酸化物材料に酸化シリコンを含ませたものを用いることができる。
【０１３８】
半導体層の上方に設けられる絶縁膜４０７、４２７、下方に設けられる絶縁層４３７は、代表的には酸化シリコン膜、酸化窒化シリコン膜、酸化アルミニウム膜、または酸化窒化アルミニウム膜などの無機絶縁膜を用いることができる。
【０１３９】
また、半導体層の上方に設けられる保護絶縁層４０９は、窒化シリコン膜、窒化アルミニウム膜、窒化酸化シリコン膜、窒化酸化アルミニウム膜などの無機絶縁膜を用いることができる。
【０１４０】
また、保護絶縁層４０９上にトランジスタ起因の表面凹凸を低減するために平坦化絶縁膜を形成してもよい。平坦化絶縁膜としては、ポリイミド、アクリル、ベンゾシクロブテン、等の有機材料を用いることができる。また上記有機材料の他に、低誘電率材料（ｌｏｗ−ｋ材料）等を用いることができる。なお、これらの材料で形成される絶縁膜を複数積層させることで、平坦化絶縁膜を形成してもよい。
【０１４１】
本実施の形態は、他の実施の形態に記載した構成と適宜組み合わせて実施することが可能である。
【０１４２】
（実施の形態３）
本明細書に開示する液晶表示装置は、さまざまな電子機器（遊技機も含む）に適用することができる。電子機器としては、例えば、テレビジョン装置（テレビ、またはテレビジョン受信機ともいう）、コンピュータ用などのモニタ、デジタルカメラ、デジタルビデオカメラ等のカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。上記実施の形態で説明した表示装置を具備する電子機器の例について説明する。
【０１４３】
図１２（Ａ）は、電子書籍の一例を示している。図１２（Ａ）に示す電子書籍は、筐体１７００及び筐体１７０１の２つの筐体で構成されている。筐体１７００及び筐体１７０１は、蝶番１７０４により一体になっており、開閉動作を行うことができる。このような構成により、書籍のような動作を行うことが可能となる。
【０１４４】
筐体１７００には表示部１７０２が組み込まれ、筐体１７０１には表示部１７０３が組み込まれている。表示部１７０２及び表示部１７０３は、続き画面を表示する構成としてもよいし、異なる画面を表示する構成としてもよい。異なる画面を表示する構成とすることで、例えば右側の表示部（図１２（Ａ）では表示部１７０２）に文章を表示し、左側の表示部（図１２（Ａ）では表示部１７０３）に画像を表示することができる。
【０１４５】
また、図１２（Ａ）では、筐体１７００に操作部等を備えた例を示している。例えば、筐体１７００は、電源入力端子１７０５、操作キー１７０６、スピーカ１７０７等を備えている。操作キー１７０６により、頁を送ることができる。なお、筐体の表示部と同一面にキーボードやポインティングディバイス等を備える構成としてもよい。また、筐体の裏面や側面に、外部接続用端子（イヤホン端子、ＵＳＢ端子、及びＵＳＢケーブル等の各種ケーブルと接続可能な端子等）、記録媒体挿入部等を備える構成としてもよい。さらに、図１２（Ａ）に示す電子書籍は、電子辞書としての機能を持たせた構成としてもよい。
【０１４６】
図１２（Ｂ）は、表示装置を用いたデジタルフォトフレームの一例を示している。例えば、図１２（Ｂ）に示すデジタルフォトフレームは、筐体１７１１に表示部１７１２が組み込まれている。表示部１７１２は、各種画像を表示することが可能であり、例えば、デジタルカメラ等で撮影した画像データを表示させることで、通常の写真立てと同様に機能させることができる。
【０１４７】
なお、図１２（Ｂ）に示すデジタルフォトフレームは、操作部、外部接続用端子（ＵＳＢ端子、ＵＳＢケーブル等の各種ケーブルと接続可能な端子等）、記録媒体挿入部等を備える構成とする。これらの構成は、表示部と同一面に組み込まれていてもよいが、側面や裏面に備えるとデザイン性が向上するため好ましい。例えば、デジタルフォトフレームの記録媒体挿入部に、デジタルカメラで撮影した画像データを記憶したメモリを挿入して画像データを取り込み、取り込んだ画像データを表示部１７１２に表示させることができる。
【０１４８】
図１２（Ｃ）は、表示装置を用いたテレビジョン装置の一例を示している。図１２（Ｃ）に示すテレビジョン装置は、筐体１７２１に表示部１７２２が組み込まれている。表示部１７２２により、映像を表示することが可能である。また、ここでは、スタンド１７２３により筐体１７２１を支持した構成を示している。表示部１７２２は、上記実施の形態に示した表示装置を適用することができる。
【０１４９】
図１２（Ｃ）に示すテレビジョン装置の操作は、筐体１７２１が備える操作スイッチや、別体のリモコン操作機により行うことができる。リモコン操作機が備える操作キーにより、チャンネルや音量の操作を行うことができ、表示部１７２２に表示される映像を操作することができる。また、リモコン操作機に、当該リモコン操作機から出力する情報を表示する表示部を設ける構成としてもよい。
【０１５０】
図１２（Ｄ）は、表示装置を用いた携帯電話機の一例を示している。図１２（Ｄ）に示す携帯電話機は、筐体１７３１に組み込まれた表示部１７３２の他、操作ボタン１７３３、操作ボタン１７３７、外部接続ポート１７３４、スピーカ１７３５、及びマイク１７３６等を備えている。
【０１５１】
図１２（Ｄ）に示す携帯電話機は、表示部１７３２がタッチパネルになっており、指等の接触により、表示部１７３２の表示内容を操作することができる。また、電話の発信、或いはメールの作成等は、表示部１７３２を指等で接触することにより行うことができる。
【０１５２】
本実施の形態は、他の実施の形態に記載した構成と適宜組み合わせて実施することが可能である。
【符号の説明】
【０１５３】
１０    画素部
１１    走査線駆動回路
１２    信号線駆動回路
１３    走査線
１４    信号線
１５    画素
１６    トランジスタ
１７    容量素子
１８    液晶素子
２０    パルス出力回路
２１    端子
２２    端子
２３    端子
２４    端子
２５    端子
２６    端子
２７    端子
３１    トランジスタ
３２    トランジスタ
３３    トランジスタ
３４    トランジスタ
３５    トランジスタ
３６    トランジスタ
３７    トランジスタ
３８    トランジスタ
３９    トランジスタ
４０    バックライトユニット
１０１    領域
１０２    領域
１０３    領域
１２０    シフトレジスタ
１２１    トランジスタ
４００    基板
４０１    ゲート電極層
４０２    ゲート絶縁層
４０３    半導体層
４０７    絶縁膜
４０９    保護絶縁層
４１０    トランジスタ
４２０    トランジスタ
４２７    絶縁層
４３０    トランジスタ
４３７    絶縁層
４４０    トランジスタ
７０２    眼鏡
７２３    左目
７２４    右目
８０１    液晶表示装置
８０２    眼鏡
８１０    可視光領域
８１１    波長帯域
８１２    波長帯域
８１３    波長帯域
８２１    画像
８２２    画像
８２３    左目
８２４    右目
８３１    投影手段
８３２    投影手段
１７００    筐体
１７０１    筐体
１７０２    表示部
１７０３    表示部
１７０４    蝶番
１７０５    電源入力端子
１７０６    操作キー
１７０７    スピーカ
１７１１    筐体
１７１２    表示部
１７２１    筐体
１７２２    表示部
１７２３    スタンド
１７３１    筐体
１７３２    表示部
１７３３    操作ボタン
１７３４    外部接続ポート
１７３５    スピーカ
１７３６    マイク
１７３７    操作ボタン
４０５ａ    ソース電極層
４０５ｂ    ドレイン電極層
４３６ａ    配線層
４３６ｂ    配線層
７０３Ａ    左目用分光フィルター
７０３Ｂ    右目用分光フィルター
８０３Ａ    左目用分光フィルター
８０３Ｂ    右目用分光フィルター
【図１】
2012048217.tif 000003
【図２】
2012048217.tif 000004
【図３】
2012048217.tif 000005
【図４】
2012048217.tif 000006
【図５】
2012048217.tif 000007
【図６】
2012048217.tif 000008
【図７】
2012048217.tif 000009
【図８】
2012048217.tif 000010
【図９】
2012048217.tif 000011
【図１０】
2012048217.tif 000012
【図１１】
2012048217.tif 000013
【図１２】
2012048217.tif 000014
【図１３】
2012048217.tif 000015